(57)【要約】【課題】  アタック感に富み、かつ、音像定位の明瞭な楽音を演奏者に提供することができる電子鍵盤楽器を提供する。【解決手段】  スピーカ１６は、棚板８の下面に固定されたスピーカホルダ１７内に保持されている。棚板８には、スピーカ１６の背面に臨む開口部１８が形成されている。音響管２０は、スピーカ１６の背面から開口部１８を介して導入される音を、ピアノ本体の各所に拡散しないように規制しつつ案内し、本体ケース７の前面パネル１９に設けられた放音孔２１から放音する。【選択図】図２
2015132641.tif 000002
【特許請求の範囲】
【請求項１】
鍵盤演奏により発生する楽音信号を楽音として放音するスピーカと、
前記スピーカから放音される音を、楽器本体の各所に拡散しないように規制しつつ、前記楽器本体の前面に形成された放音孔に案内する音響管と
を具備することを特徴とする電子鍵盤楽器。
【請求項２】
前記音響管は、前記スピーカの放音面以外の面から放音された音を案内することを特徴とする請求項１に記載の電子鍵盤楽器。
【請求項３】
前記スピーカは、棚板の下面に固定されたスピーカホルダ内に保持され、
前記棚板には、前記スピーカの背面に臨む開口部が形成され、
前記音響管は、前記スピーカの背面から前記開口部を介して導入される音を案内することを特徴とする請求項２に記載の電子鍵盤楽器。
【請求項４】
前記放音孔は、前記楽器本体の前面において左右方向に複数形成されていることを特徴とする請求項１〜３のいずれか１の請求項に記載の電子鍵盤楽器。
【発明の詳細な説明】
【技術分野】
【０００１】
この発明は、鍵盤とその鍵盤の押鍵に伴い楽音を再生するスピーカを備えた電子ピアノなどの電子鍵盤楽器に関する。
【背景技術】
【０００２】
従来の電子鍵盤楽器としては、例えば特許文献１に開示された電子ピアノが知られている。この電子ピアノでは、本体ケースの底部の棚板に、放音面を下方に向けた２個のスピーカが取り付けられている。
【０００３】
この電子ピアノでは、鍵盤の押鍵に伴いスピーカから再生された楽音は、スピーカの放音面から下方に放音され、床により反射されて演奏者の耳に届く一方で、スピーカ背面から放音される音が、本体ケース内の複数の曲折した経路を介して本体ケース前面の隙間から漏れ出る。
【先行技術文献】
【特許文献】
【０００４】
【特許文献１】特許第５１６１４６３号
【発明の概要】
【発明が解決しようとする課題】
【０００５】
ところで、上述した従来の電子ピアノにおいて、スピーカの放音面から下方に放音された楽音は、床での反射を経ることにより、遅延が付与され、かつ、高域周波数成分の損なわれた楽音となって演奏者の耳に届く。このようにして演奏者の耳に届く楽音は、アタック感に乏しく、かつ、その音像位置が鍵盤から離れた楽音となる。一方、スピーカ背面から放音された楽音は、本体ケース内の各所に散り、その一部が複数の曲折した経路を介して本体ケースの前面の隙間から放音される。このため、本体ケースの前面の隙間から放音される楽音は小音量である。また、この本体ケースの前面の隙間から放音される楽音は、複数の曲折した経路を経ているため、音像位置が不明瞭で、ぼんやりした音となる。従って、本体ケースの前面の隙間から放音される楽音が演奏者の耳に届いたとしても、演奏者は、鍵盤位置付近に音像が定位した楽音を聴きとることができない。このように従来の電子ピアノは、音質に優れ、かつ、鍵盤位置付近に音像位置がある楽音を演奏者に届けることが困難であり、演奏者に提供される楽音はアコースティックピアノの楽音とは異なるものであった。
【０００６】
この発明は、以上説明した事情に鑑みてなされたものであり、アタック感に富み、かつ、音像位置の明瞭な楽音を演奏者に提供することができる電子鍵盤楽器を提供することを目的としている。
【課題を解決するための手段】
【０００７】
この発明は、鍵盤演奏により発生する楽音信号を楽音として放音するスピーカと、前記スピーカから放音される音を、楽器本体の各所に拡散しないように規制しつつ、前記楽器本体の前面に形成された放音孔に案内する音響管を具備することを特徴とする電子鍵盤楽器を提供する。
【０００８】
この発明によれば、音響管が、スピーカから放音される音を、楽器本体の各所に拡散しないように規制しつつ、楽器本体の前面に形成された放音孔に案内する。従って、楽器本体の前面の放音孔を介して演奏者に届けられる音は、従来の電子鍵盤楽器に比べて、音量の低下が少なく、かつ、遅延が少ないことによる先行音効果を生じるために音像定位の明瞭な音となる。また、本発明において楽器本体の前面の放音孔を介して演奏者に届けられる音は床による反射を経ていないため、遅延が付与されておらず、高域周波数成分も損なわれていない。よって、楽器本体の前面の放音孔を介して演奏者に届けられる音は、床による反射を経て演奏者に届く音に比較して伝搬経路が短くなるため、高域周波数成分を聴き取り易くなる。このため、本発明によれば、アタック感に溢れた音を演奏者に提供することが可能になる。
【図面の簡単な説明】
【０００９】
【図１】この発明の一実施形態による電子ピアノの構成を示す正面図である。
【図２】図１のＡ−Ａ’線断面図である。
【図３】図１のＢ−Ｂ’線断面図である。
【図４】同実施形態における音響管の構成を示す斜視図である。
【図５】放音孔の他の構成例を示す正面図である。
【図６】音響管の他の構成例を示す斜視図である。
【図７】音響管の他の構成例を示す斜視図である。
【図８】音響管の他の構成例を示す斜視図である。
【図９】音響管の他の構成例を示す斜視図である。
【図１０】音響管の他の構成例を示す斜視図である。
【図１１】音響管の他の構成例を示す斜視図である。
【図１２】音響管の他の構成例を示す斜視図である。
【図１３】スピーカから音響管への音の導入形態の他の例を示す断面図である。
【図１４】スピーカから音響管への音の導入形態の他の例を示す断面図である。
【発明を実施するための形態】
【００１０】
以下、図面を参照し、この発明の実施形態について説明する。
図１は、この発明の一実施形態による電子ピアノ１の構成を示す正面図である。図１に示すように、この電子ピアノ１は、左右２チャネルのスピーカ１６を有している。図２は、図１に示す電子ピアノ１をスピーカ１６の存在するＡ−Ａ’線において切断した断面図である。図３は、図１に示す電子ピアノ１をスピーカ１６から離れたＢ−Ｂ’線において切断した断面図である。
【００１１】
図１に示すように、この電子ピアノ１は、ピアノ本体２と、このピアノ本体２を下方から支持するスタンド３から構成されている。スタンド３は、上下方向に延び、左右方向に所定間隔を隔てて配置された左右一対の脚部４を具備している。これらの脚部４の下端部間は、３つのペダル６を有するペダル土台５により連結されている。
【００１２】
図２に示すように、ピアノ本体２は、その外殻を構成する本体ケース７を有している。本体ケース７は、その底部に、長方形状の水平な棚板８を有している。そして、本体ケース７は、この棚板８と、左右一対の側板９、背板１０、天板１１及び前板１２などによりボックス形状に形成されている。
【００１３】
棚板８上には、鍵盤装置１３が載置されている。鍵盤装置１３は、左右方向に並んだ多数の鍵１４からなる鍵盤１５（図１参照）と、この鍵盤１５の演奏によって発生する押鍵情報に基づいて、左右２チャンネルの楽音信号を形成して左右２チャネルのスピーカ１６に供給する楽音形成装置（図示略）とから構成されている。
【００１４】
棚板８の後部の左右両側の2カ所には、上下方向に貫通し、所定の径を有する２個の開口部１８が形成されている。図２にはこの２個の開口部１８のうち左側の開口部１８が示されている。そして、棚板８の下側の両開口部１８に臨む各位置に、それぞれスピーカホルダ１７を介して、上述した左右２チャネルのスピーカ１６が、放音面を下方に向けて設置されている（図１参照）。図２には、これらの２つのスピーカのうち左チャネルのスピーカ１６が図示されている。これらのスピーカ１６は、人間の可聴音域のほぼ全音域の楽音を再生可能なフルレンジスピーカである。好ましい態様において、左右２チャネルのスピーカ１６は、前後方向に傾斜しており、各々の放音面（前面）を下方かつ演奏者側の方向に向けている。なお、左右２チャネルのスピーカ１６を左右方向にも傾け、各スピーカ１６の放音面を電子ピアノ１の左右方向中央に向けてもよい。
【００１５】
天板１１と鍵盤１５の間には前面パネル１９が設置されている。この前面パネル１９は、左右の側板９間を鍵盤１５に沿って左右に延びている。また、図１に示すように、前面パネル１９において、左チャネルのスピーカ１６の直上の領域および右チャネルのスピーカ１６の直上の領域には複数の長方形形状の放音孔２１が各々開口している。
【００１６】
本実施形態において、本体ケース７には音響管２０が設けられている。この音響管２０は、図２に示すように、棚板８の左右両側にある開口部１８を上方から覆うように棚板８に当接しており、上述した放音孔２１に連通している。この音響管２０は、スピーカ１６の背面から放音される音を、本体ケース７の各所に拡散しないように規制しつつ、前面パネル１９に形成された放音孔２１（図１参照）に案内する手段である。
【００１７】
図３に示すように、棚板８の下側にスピーカ１６が存在しない領域には、音響管２０が設置されていない。従って、この音響管２０のない領域を利用して楽音形成装置等を設置することが可能である。
【００１８】
図４は、音響管２０の斜視図である。音響管２０は、左右２本の中空の集音部２２と電子ピアノ１の左右方向に広がった中空の放音部２３を有している。ここで、各集音部２２内の中空領域と放音部２３内の中空領域は連通している。左右２本の集音部２２は、水平部と垂直部からなる。左右２本の集音部２２の水平部の底面には図２に示すように開口部があり、これらの開口部は、棚板８に形成された左右２箇所の開口部１８を覆っている。放音部２３は、電子ピアノ１の左右方向全幅に拡がった開口部を前側に有し、後側が左右２本の集音部２２の垂直部と繋がっている。放音部２３内の中空領域は、各集音部２２の垂直部と繋がった領域から放音部２３の前端開口部に向かうに従って次第に断面積が広がっている。放音部２３の前端開口部は、図２に示すように前面パネル１９に当接している。
【００１９】
このような構成において、左右のスピーカ１６の背面から放音される音は、左右の集音部２２の水平部および垂直部を各々介して放音部２３内に案内され、この放音部２３から前面パネル１９の放音孔２１を介して放音される。
【００２０】
以上のように、本実施形態では、音響管２０が、スピーカ１６から放音される音を、本体ケース７の各所に拡散しないように規制しつつ、本体ケース７の前面パネル１９に形成された放音孔２１に案内する。従って、放音孔２１を介して演奏者に届けられる音は、従来の鍵盤電子楽器に比べて、音量の低下が少なく、かつ、鍵盤位置付近に音像位置が定位した音像定位の明瞭な音となる。
【００２１】
また、本実施形態によれば、スピーカ１６の背面からの音を、棚板８の開口部１８を経由して音響管２０に導入している。従って、スピーカ１６から音響管２０を介した演奏者の耳までの経路を短くすることができ、スピーカ１６の放音面からの音では聴き取り難かった高域周波数成分も聴き取り易くなる。従って、アタック感に溢れた音を演奏者に提供することができる。
【００２２】
また、本実施形態では、音響管２０が、放音孔２１付近で、ピアノ本体の幅方向全体に広がっている。従って、本実施形態によれば、演奏者が楽器本体前面のどこにいても、音質に優れた音を聴くことができる。
【００２３】
＜他の実施形態＞
以上、この発明の一実施形態について説明したが、この発明には他にも実施形態が考えられる。例えば次の通りである。
【００２４】
（１）図５（ａ）〜（ｄ）は前面パネル１９に形成される放音孔２１の各種の態様を例示する図である。図５（ａ）に示す例では、放音孔２１は、前面パネル１９の左右全体に亙って開口している。図５（ｂ）および（ｃ）に示す例では、前面パネル１９の左右方向全幅に亙って複数の長方形形状または楕円形状の放音孔２１が一定間隔で整列している。図５（ｄ）に示す例では、左右のスピーカ１６の直上の２区間のみに複数の楕円形状の放音孔２１が一定間隔で整列している。放音孔２１の形状や配置は、電子ピアノ１全体のデザインや音質に関する嗜好等に合わせて変えればよい。
【００２５】
また、図示は省略したが、細かな孔の集合体であって、全体として長方形形状や楕円形状となるメッシュ状の放音孔２１を前面パネル１９に設けてもよい。あるいは、放音孔２１をメッシュ状とする代わりに、放音孔２１を覆う蓋を設置し、電子ピアノ１の使用時のみ蓋を開き、放音孔２１を外部に露出させるようにしてもよい。これらの態様によれば、放音孔２１から音響管２０内へゴミやホコリ等が侵入するのを防止することができる。
【００２６】
さらに、図示は省略するが、放音孔２１をピアノ本体２の前面ではなく、ピアノ本体２の側面や後面、上面に設けてもよい。もしくは、放音孔２１をピアノ本体２の前面以外の複数の面に同時に設けてもよい。あるいは、放音孔２１をピアノ本体２の前面と前面以外の複数の面に同時に設けてもよい。放音孔２１をピアノ本体２の前面と前面以外の複数の面に同時に設ける態様では、音響管２０をピアノ本体２の前面と他面に分岐する形状としてもよい。この態様によれば、ピアノ本体２の前面から放音されるアタック感に富んだ楽音とピアノ本体２の後面などの前面以外の他面から放音される音の広がり感を与える楽音を演奏者に提供することができる。
【００２７】
（２）音響管２０に関しても各種の構成が考えられる。図６〜図１２は、音響管２０の各種の構成例を示す斜視図である。図６に示す音響管２０Ａにおいて、放音部２３Ａは、直方体形状をなしており、電子ピアノ１の左右方向全幅に亙って、前面パネル１９と背板１０との間の領域を占めている。左右の集音部２２Ａの垂直部は、この放音部２３Ａの底面に連結されている。
【００２８】
図７に示す音響管２０Ｂにおいて、放音部２３Ｂは、図６の放音部２３Ａと同様のものである。集音部２２Ｂは、左右２チャネルのスピーカ１６から放音された音を各々集音する２つの水平部２２Ｂｈと、電子ピアノ１の左右方向全幅に亙る共用の垂直部２２Ｂｖとからなる。ここで、２つの水平部２２Ｂｈ、垂直部２２Ｂｖおよび放音部２３Ｂの各々の内部の中空領域は連通している。
【００２９】
図８に示す音響管２０Ｃは、各々電子ピアノ１の左右方向全幅に亙る集音部２２Ｃおよび放音部２３Ｃを一体成形してなるものである。集音部２２Ｃの水平部の下面には左右２チャネルのスピーカ１６から放音された音を受け容れるための２個の開口部が設けられている。
【００３０】
図９に示す例では、音響管が、左チャネルのスピーカ１６から放音された音を前面パネル１９の放音孔２１に案内する音響管２０ＤＬと、右チャネルのスピーカ１６から放音された音を前面パネル１９の放音孔２１に案内する音響管２０ＤＲとに分かれている。これらの音響管２０ＤＬおよび２０ＤＲは、スピーカ１６の背面から放音された音を受け容れる開口部を下面に有する集音部２２Ｄと、この集音部２２Ｄを介して案内された音を前面パネル１９の放音孔２１に案内する放音部２３Ｄとにより構成されている。
【００３１】
図１０に示す音響管２０Ｅにおいて、２つの水平部２２Ｅｈと共用の垂直部２２Ｅｖからなる集音部２２Ｅの構成は、図７の集音部２２Ｂと同様である。この図１０に示す音響管２０Ｅでは、放音部２３を左チャネル用の放音部２３ＥＬと右チャネル用の放音部２３ＥＲとに分けている。
【００３２】
図１１に示す音響管２０Ｆは、図８に示す音響管２０Ｃにおいて、放音部２３Ｃを左チャネル用の放音部２３ＦＬと右チャネル用の放音部２３ＦＲとに分けている。左右チャネル共用の集音部２２Ｆの構成は、図８の集音部２２Ｃと同様である。
【００３３】
図１２に示す音響管２０Ｇにおいて、集音部２２Ｇは、左右２チャネル共用の水平部２２Ｇｈと、左右２チャネルに各々対応した２個の垂直部２２Ｇｖとにより構成されている。左チャネル用放音部２３ＧＬおよび右チャネル用放音部２３ＧＲは、左チャネル用の垂直部２２Ｇｖと右チャネル用の垂直部２２Ｇｖに各々連結されている。
【００３４】
以上説明した音響管２０の各態様は、本体ケース７内の楽音形成装置等のレイアウトや求められる音質等に基づいて選択すればよい。
【００３５】
なお、以上の態様では、音響管２０を集音部２２と放音部２３とにより構成したが、背板１０や天板１１を放音部２３を囲う壁面の一部として使用してもよい。
【００３６】
（３）上記実施形態では、棚板８に開口部１８を設け、スピーカ１６から放音された音を開口部１８を介して音響管２０内に導入した。しかし、この音響管２０内にスピーカ１６の音を導入するための構成に関しても各種の態様が考えられる。図１３は、音響管２０への音の導入形態に関する一実施形態を示すものである。図１３に示す態様では、棚板８に開口部１８が形成されておらず、スピーカホルダ１７の側壁に開口部１８ａが形成されている。音響管２０は、棚板８を貫通し、スピーカホルダ１７に設けられた開口部１８aと連通している。スピーカ１６背面から放音された音は、スピーカホルダ１７の開口部１８ａから音響管２０に導入され、前面パネル１９の放音孔２１に案内される。
【００３７】
また、上記実施形態では、スピーカ１６背面から放音された音を音響管２０により案内したが、スピーカ１６の放音面から放音された音を音響管２０により前面パネル１９の放音孔２１に案内してもよい。図１４に示す態様では、棚板８に開口部１８が形成されていない。そして、スピーカホルダ１７の下面にスピーカ１６の放音面から放音された音を斜め下方（演奏者側に傾いた方向）に案内する両端開口の中空円筒部１７ａが固定されている。音響管２０は、この中空円筒部１７ａに設けられた開口部１７ｂと連通している。この態様によれば、スピーカ１６の放音面から放音された音が音響管２０により前面パネル１９の放音孔２１に案内される。この態様においても上記実施形態と同様な効果が得られる。
【００３８】
（４）上記実施形態では、スピーカホルダ１７を用いてスピーカ１６を固定したが、スピーカホルダ１７を用いないで、スピーカ１６を棚板８に直接取り付けてもよい。図示は省略するが、例えば開口部１８を棚板８に設け、開口部１８内にスピーカ１６背面を挿入してスピーカ１６を棚板８に直接取り付け、棚板８の開口部１８から露出したスピーカ１６背面を上方から音響管２０が覆う。このような構成においても、スピーカ１６背面から放音された音を、音響管２０により、前面パネル１９の放音孔２１に案内することが可能である。
【００３９】
（５）上記実施形態では、この発明を電子ピアノに適用したが、この発明は電子ピアノ以外の電子鍵盤楽器にも適用可能である。
【符号の説明】
【００４０】
１……電子ピアノ、２……ピアノ本体、３……スタンド、４……脚部、５……ペダル土台、６……ペダル、７……本体ケース、８……棚板、９……側板、１０……背板、１１……天板、１２……前板、１３……鍵盤装置、１４……鍵、１５……鍵盤、１６……スピーカ、１７……スピーカホルダ、１８……開口部、１９……前面パネル、２０，２０Ａ〜２０Ｇ……音響管、２１……放音孔、２２……集音部、２３……放音部
【図１】
2015132641.tif 000003
【図２】
2015132641.tif 000004
【図３】
2015132641.tif 000005
【図４】
2015132641.tif 000006
【図５】
2015132641.tif 000007
【図６】
2015132641.tif 000008
【図７】
2015132641.tif 000009
【図８】
2015132641.tif 000010
【図９】
2015132641.tif 000011
【図１０】
2015132641.tif 000012
【図１１】
2015132641.tif 000013
【図１２】
2015132641.tif 000014
【図１３】
2015132641.tif 000015
【図１４】
2015132641.tif 000016